(57)【要約】【課題】鏡餅から取り外しても自立したものとして置くことができる鏡餅飾りを備えた鏡餅セット，その容器を提供する。【解決手段】鏡餅セット容器は，鏡餅形容器10を含み，その頂部に嵌込み穴15があけられている。鏡餅飾り17，17Ａが上面に固定され，周面に嵌込み溝16ａが形成された台座16が嵌込み穴15に着脱自在に嵌入れられ，嵌込み穴の内周縁部11ａが台座16の周面の嵌込み溝16ａに嵌っている。台座16上の鏡餅飾り17を覆う透明な保護キャップ20，20Ａが設けられている。鏡餅セット容器内に内容物19が収容され，鏡餅セット１ができ上る。【選択図】図３
2018108856.tif 000002
【特許請求の範囲】
【請求項１】
頂部に嵌込み穴があけられた鏡餅形容器と，
鏡餅飾りが上面に固定され，かつ前記嵌込み穴に着脱自在に嵌合された台座とを備え，前記嵌込み穴の内周縁部が前記台座の周面に形成された嵌込み溝に嵌っている，
鏡餅セット容器。
【請求項２】
前記台座上の鏡餅飾りを覆う透明な保護キャップが設けられている，請求項１に記載の鏡餅セット容器。
【請求項３】
前記保護キャップがその下端部で前記台座に固定されている，請求項２に記載の鏡餅セット容器。
【請求項４】
前記保護キャップがその下端部で前記台座の周面に係合している，請求項２または３に記載の鏡餅セット容器。
【請求項５】
前記保護キャップがその下端部で前記台座の周面と前記鏡餅形容器の前記嵌込み穴の内周縁部との間に挟まれている，
請求項２から４のいずれか一項に記載の鏡餅セット容器。
【請求項６】
請求項１から５のいずれか一項に記載の鏡餅セット容器内に内容物が収容されている鏡餅セット。
【請求項７】
前記鏡餅セット容器の底面が開口され，この開口がシール材で閉鎖されている，請求項６に記載の鏡餅セット。
【請求項８】
頂部にあけられた嵌込み穴を有する鏡餅形容器。
【請求項９】
底面に開口があけられている，請求項８に記載の鏡餅形容器。
【請求項１０】
一体的に形成され横方向に突出する下部突縁を有する，請求項８または９に記載の鏡餅形容器。
【発明の詳細な説明】
【技術分野】
【０００１】
この発明は鏡餅用容器，鏡餅セット容器およびこれらを用いた鏡餅セットに関する。
【背景技術】
【０００２】
近年，鏡餅は乳白色の合成樹脂により鏡餅形に形成された合成樹脂製鏡餅形容器内に，餅を充填したり，合成樹脂フィルムで包装した切餅または丸形餅を複数個収納して鏡餅形パックという形態で流通，販売されている。菓子，飴，キャンデー等を鏡餅形パック内に入れることもある。このような鏡餅形パックの上に鏡餅飾りを載せて飾ることがある。
【０００３】
鏡餅飾りとしては橙，蜜柑（模造品を含む）などの縁起物が多いが，近年，これらの縁起物にとどまらずフィギュア，キャラクタ・マスコット，人形，干支（子，丑，寅などの形）なども喜ばれ，鏡開き等の後に，鏡餅（鏡餅形パック）から取り外して一種のコレクションとして収集の対象となりつつある。下記特許文献参照。
【先行技術文献】
【特許文献】
【０００４】
【特許文献１】実用新案登録第３１３０１２５号公報
【特許文献２】実用新案登録第３２０３０７７号公報
【０００５】
鏡餅飾りを鏡餅から取外して机上，書棚，ケース内等に置く場合に，鏡餅飾りそのものが自立するものであればそのまま飾ることができるが，中には自立できない形態のもの，不安定な形状のものもある。
【発明の概要】
【０００６】
この発明は鏡餅から取り外しても自立したものとして飾る（置く）ことができる鏡餅飾りを備えた鏡餅セット容器を提供することを目的とする。
【０００７】
この発明はまた，上記鏡餅セット容器を用いた鏡餅セットを提供するものである。
【０００８】
この発明はさらに，上記鏡餅セット容器のための鏡餅形容器を提供するものである。
【０００９】
この発明による鏡餅セット容器は，鏡餅形容器の頂部に嵌込み穴があけられ，鏡餅飾りが上面に固定され，周面に嵌込み溝が形成された台座が前記嵌込み穴に着脱自在に嵌入れられ，前記嵌込み穴の内周縁部が前記台座の周面の前記嵌込み溝に嵌っている（これらの間に他の部材，たとえば後述する保護キャップの下端部があってもよい）構造（嵌め合い構造）のものである。嵌め合いは，台座の全周でなく，一部であってもよい。この発明による鏡餅セット容器は，別の表現によると，頂部に嵌込み穴があけられた鏡餅形容器と，鏡餅飾りが上面に固定され，かつ前記嵌込み穴に着脱自在に嵌合された台座とを備え，前記嵌込み穴の内周縁部が前記台座の周面に形成された嵌込み溝に嵌っているものである。
【００１０】
このような鏡餅セット容器内に内容物を収容することにより鏡餅セットができ上る。
【００１１】
鏡餅形パック容器の底面が開口している場合には，この開口がシール材で閉鎖される。
【００１２】
鏡餅飾りには，橙，蜜柑（模造品でもよい）等の他に，フィギュア，キャラクタ・マスコット，人形，干支の立体像（子，丑，寅などの形），その他の飾り物がある。
【００１３】
このような鏡餅飾りは，鏡餅の目的が達成したのち（たとえば鏡開きの後に），台座ごと鏡餅セット容器から取外して台座ごと机上，飾り棚，ケース内等に置いて飾ることができる。鏡餅飾りが自立できない形状の場合であっても台座上に固定されているから，鏡餅に飾られている状態でも，鏡餅から取外した後においても，倒れたりすることなく安定を保つ。台座は一般に合成樹脂により作られ，好ましくは鏡餅形容器と同じ色（たとえば不透明白色系）のものがよい。もちろん，アクセントをもたせる意味で，またはコレクションとして飾られるために鏡餅飾りの色との関係で他の配色とすることもできる。
【００１４】
好ましい実施態様では，台座上の鏡餅飾りを覆う透明な保護キャップが設けられる。保護キャップは好ましくは合成樹脂で作られ，半透明（着色を含む）であってもよい。透明は半透明を含む。
【００１５】
保護キャップはその下端部で前記台座に固定されればよい。固定方法はさまざまな形態があるが，たとえば保護キャップはその下端部で前記台座の周面に係合して固定される。また，保護キャップはその下端部で前記台座の周面と前記鏡餅形容器の前記嵌込み穴の内周縁部との間に挟まれて固定される。場合によっては保護キャップは鏡餅形容器の最上段部に固定してもよい。
【００１６】
保護キャップは，保管，運送等のために複数個の鏡餅セットを箱内に収納したときに，鏡餅飾りを外力から保護する。また，鏡餅セットが店頭に陳列されたときに，鏡餅飾りに悪戯が加えられるのを防ぐ，さらに埃等が鏡餅飾りに付着するのを防ぐ。
【００１７】
この発明は頂部に嵌込み穴があけられている鏡餅形容器も提供している。この鏡餅形容器は，別の表現をすると，頂部にあけられた嵌込み穴を有する鏡餅形容器である。この鏡餅形容器の嵌込み穴に，鏡餅飾りを備えた台座を蓋として嵌込めば，鏡餅セット容器が完成する。
【００１８】
一実施態様では鏡餅形容器の底面に開口があけられている。この開口は，内容物を容器内に収容した後にシール材により閉鎖される。他の実施態様では横方向に突出する下部突縁（フランジ）が一体的に形成されている。すなわち鏡餅形容器は一体的に形成され横方向に突出する下部突縁を有する。下部突縁は鏡餅の安定性を一層強固にする。
【図面の簡単な説明】
【００１９】
【図１】一実施例の保護キャップを有する鏡餅セットの全体の正面図である。
【図２】一実施例の保護キャップを有する鏡餅セットの全体の縦断面図である。
【図３】鏡餅セットから取外された台座とこの上に固定された鏡餅飾りの例を示す。
【図４】保護キャップの変形例を示す断面図である。
【図５】他の実施例の（保護キャップのない）鏡餅セットの全体の正面図である。
【実施例】
【００２０】
図１および図２を参照して，鏡餅セット１は，鏡餅形容器10と，この鏡餅形容器10の頂部の嵌込み穴（開口）15を覆う蓋としての台座16と，この台座16の上面に固定された鏡餅飾り17と，鏡餅飾り17を覆って保護する保護キャップ20とを含む。
【００２１】
鏡餅形容器10は，好ましくは白色系合成樹脂（不透明）で中空に形成されている。鏡餅形はよく知られているように，球体を扁平にした形のいわゆる丸餅形のものを下から大きい順に多段に重ねた形状であり，鏡餅形容器10はこの鏡餅形に似せた形につくられている。この実施例では鏡餅形容器10は二段重ね形であり，上段部（最上段部）11と下段部12とから構成されている。上段部11の上面は円形に開口し，上述した嵌込み穴15となっており，下段部12の下面は開口し，かつ下段部12の下端部からは外方に（横方向に）突出した下部突縁（フランジ）13が一体的に形成されている。下部突縁13は円形でも方形でも，その他の形状でもよい。鏡餅形容器10内には，下面開口から内容物19（硬化した円盤状，さいころ状，方形板状，その他の形状の複数個の餅または菓子，飴，キャンデー，その他の物）が収容される。そして，下面開口がシール材（底面部14）（好ましくは不透明白色系）で塞がれる。底面部14はその周辺において下部突縁13の下面に溶着または接着されている。鏡餅形容器10は一段でもよいし，三段以上でもよい。鏡餅形容器10の上段部11と下段部12の間のくびれには水引18が取付けられている。
【００２２】
台座16は嵌込み穴15に嵌め込まれる形状（平面からみて円形で厚さを有する）で，その上面には鏡餅飾り17が粘着，接着，固着，台座と一体成形等により固定されている。台座16および鏡餅飾り17のいずれも合成樹脂製であることが好ましい。図では鏡餅飾り17として干支の竜（龍）の形状のキャラクタが描かれているが，一般的な橙，蜜柑等の他に，フィギュア，キャラクタ・マスコット，人形，干支の立体像（子，丑，寅などの形），その他の飾り物がある。
【００２３】
保護キャップ20は好ましくはやや軟質の透明樹脂または合成ゴムで形成され，台座16に固定され，その内部に鏡餅飾り17を収めている。すなわち，鏡餅飾り17は保護キャップ20の内面との間に間隔をあけてその内部に収まっている。保護キャップ20は，たとえば，保管，運送等のために複数個の鏡餅パック１を箱内に収納したときに，鏡餅飾り17を外力から保護する。また，鏡餅セット１が店頭に陳列されたときに，鏡餅飾り17に悪戯が加えられるのを防ぐ。さらに埃等が鏡餅飾り17に付着するのを防止する。保護キャップ20は透明であるから，鏡餅飾り17を外から見ることができる。もちろん，保護キャップ20を半透明（着色でもよい）にしてもよい。
【００２４】
この実施例では台座16と保護キャップ20の取付けは次の通りである。図３も参照して，台座16の周面には，下部の嵌込み溝16ａと上部の凸条16ｂとが形成されている。これに対応するように，保護キャップ20の円筒形の周面部の下部には，下から，嵌込み溝16ａに沿う内方に凸条（外方に凹溝）21Ａと，凸条16ｂに沿う外方に凸条（内方に凹溝）21Ｂが形成されている。
【００２５】
台座16の凸条16ｂが保護キャップ20の外方凸条（内方凹溝）21Ｂの内方凹溝内に嵌り，保護キャップ20の内方凸条（外方凹溝）21Ａの内方凸条が台座の嵌込み溝16ａに嵌っている。そして，鏡餅形容器10の上段部11の嵌込み穴15にのぞむ内周縁11ａが保護キャップの内方凸条（外方凹溝）21Ａの外方凹溝（台座16の嵌込み溝16ａ）に嵌っている。このようにして，鏡餅形容器10の頂部の嵌込み穴15に台座16と保護キャップ20の下部とが固定されている。これらの固定は，鏡餅形容器10の嵌込み穴15をその弾性に抗して押し広げ，あらかじめ互いに結合された台座16と保護キャップ20の下部を押し込めばよい。保護キャップ20と台座16とを鏡餅形容器10から取外す場合には上記と逆の操作を行なえばよい。台座16の嵌め合せ固定は，台座16の全周ではなく，その一部で行ってもよい。
【００２６】
図３は鏡餅セット１から取外された台座16と鏡餅飾り17とを示している。ここでは保護キャップ20も取外されているが，保護キャップ20を台座16に取付けた状態でもよい。図３の鏡餅飾り17は単独では自立できない（転倒してしまう）ものである。このような自立できない鏡餅飾りであっても台座16上に固定されているので，転倒せずにその正規の姿勢を保っている。したがって，台座上に固定された鏡餅飾りを机上，棚，ケース内等に載置して飾ることができる。
【００２７】
上記実施例では，台座16に保護キャップ20を固定し，これらの全体を鏡餅形容器10の嵌込み穴15に嵌込んでいるが，これらを他の構造で取付けることもできる。たとえば，台座16の嵌込み溝16ａに鏡餅形容器10の上段部11の嵌込み穴15の内周縁11ａを嵌め入れ（図５参照）る。厚い台座16を用いて台座16の上部を鏡餅形容器10の上方に突出させ，この突出部に保護キャップ20を係止（係合）または嵌込めばよい。台座16の嵌込みはその全周ではなく，一部で行ってもよいし，上段部11に嵌込み穴15の内方にのびる薄い受部を設け，この受部の上に台座16を置き，台座16の一部と嵌込み穴15の周縁部の一部を係止（係合）（嵌合せ）させてもよい。
【００２８】
図１，図２には上部が半球状に湾曲した保護キャップ20が図示されているが，図４に示すように，平坦な上面22と，この上面22から斜め外方に直線状に延びる周側面23を有する保護キャップ20Ａなど，種々の形状の保護キャップを使用することができる。
【００２９】
図５は保護キャップのない鏡餅セット１Ａを示すものである。図１〜図３に示すものと同一物には同一符号を付し重複説明を避ける。
【００３０】
台座16の周面には嵌込み溝16ａが一周にわたって形成されている。鏡餅形容器１Ａの上段部11の嵌込み穴15にのぞむ内周縁部11ａが台座16の溝16ａ内に嵌り，台座16が鏡餅形容器10の頂部に固定されている。台座16の上面には鏡餅飾り17Ａが固定されている。鏡餅飾りはここでは橙（模造品）である。
【符号の説明】
【００３１】
１，１Ａ  鏡餅セット
10  鏡餅形容器
11  上段部
11ａ  嵌込み穴の内周縁部
12  下段部
13  下部突縁
15  嵌込み穴
16  台座
16ａ  嵌込み溝
17，17Ａ  鏡餅飾り
20，20Ａ  保護キャップ
【図１】
2018108856.tif 000003
【図２】
2018108856.tif 000004
【図３】
2018108856.tif 000005
【図４】
2018108856.tif 000006
【図５】
2018108856.tif 000007